(57)【特許請求の範囲】
【請求項１】
書籍類の表紙を覆って前記表紙を保護するための主面部材、および
前記主面部材からのびて折り返し可能に形成され、前記書籍類の目的とするページおよびそれに対向するページ間に挟み込まれるしおり片を含み、
前記しおり片側に形成され、前記しおり片を前記書籍類の目的とするページおよびそれに対向するページのうちの一方のページに仮着するための仮着材を含み、
前記しおり片の内面に支持片が形成され、
前記仮着材は前記支持片の表面に形成され、
前記仮着材の表面を保護するための保護片が前記支持片の表面側で前記仮着材の近傍に形成され、さらに
前記保護片の前記仮着材に対応する部分を前記支持片の裏面側に通すための孔が前記支持片に形成された、ブックカバー。
【請求項２】
前記主面部材の一端側に形成され、前記表紙の表表紙および裏表紙のうちの一方の端部を収納するためのポケット部、および
前記主面部材の他端側に形成され、前記表表紙および前記裏表紙のうちの他方を保持するための保持部を含み、
前記しおり片は前記主面部材の他端からのびて折り返し可能に形成された、請求項１に記載のブックカバー。
【発明の詳細な説明】
【０００１】
【発明の属する技術分野】
この発明はブックカバーに関し、特にたとえば書籍、日記帳、手帳、家計簿などのように使用途中のページにしおりなどの目印があれば便利であると考えられる複数のページからなる書籍類の表紙を覆って保護するブックカバーに関する。
【０００２】
【従来の技術】
従来、書籍などにおいて使用途中のページの目印としては、書籍などを保護するカバーとは別に形成された短冊状の別のパーツを用いてしおりとする場合がある。
また、従来、書籍などにおいて使用途中のページの目印としては、書籍などの中心付近の上部または下部にひも状のものを付随することによってしおりとする場合がある。
【０００３】
【発明が解決しようとする課題】
ところが、別のパーツからなるしおりの使用にあたっては、書籍などのページを閉じたり開いたりするという行為に加えて、しおりを探して挟み込むという行為が必要であり、大変手間がかかり面倒である。さらに、このような別のパーツからなるしおりは、紛失する可能性も考えられる。
また、付随するひも状のしおりにあたっても、上記の別のパーツからなるしおりと同様に、書籍などのページを閉じたり開いたりする行為のほかに、ひも状のしおりを元のページから取り出して目的とするページに挟み込む行為が必要であるとともに、再度ページを開こうとする際にはひも状のしおりを探して目的のページを開く必要があり、大変手間がかかり面倒である。
【０００４】
それゆえに、この発明の主たる目的は、書籍類の目的とするページに目印を簡単につけることができ、しかも、書籍類の目的とするページを簡単に検索することができ、書籍類の目的とするページにつける目印を紛失しにくい、ブックカバーを提供することである。
【０００５】
【課題を解決するための手段】
この発明にかかるブックカバーは、書籍類の表紙を覆って表紙を保護するための主面部材と、主面部材からのびて折り返し可能に形成され、書籍類の目的とするページおよびそれに対向するページ間に挟み込まれるしおり片とを含む、ブックカバーである。
この発明にかかるブックカバーでは、書籍類の表紙を覆って保護する主面部材からのびて折り返し可能に形成されたしおり片が、書籍類の目的とするページおよびそれに対向するページ間に目印として挟み込まれる。この場合、書籍類を閉じたり開いたりする行為と同様な行為でしおり片が挟み込まれる。そのため、書籍類の目的とするページに目印を簡単につけることができる。
また、この発明にかかるブックカバーでは、しおり片が、書籍類の表紙を覆って保護する主面部材からのびて形成されているので、しおり片を簡単に探し出すことができる。そのため、書籍類の目的とするページを簡単に検索することができる。
さらに、この発明にかかるブックカバーでは、しおり片が主面部材からのびて形成されているので、書籍類の目的とするページにつける目印となるしおり片を紛失しにくい。
【０００６】
この発明にかかるブックカバーには、しおり片側に形成され、しおり片を書籍類の目的とするページおよびそれに対向するページのうちの一方のページに仮着するための仮着材が含まれる。
このようにブックカバーのしおり片側に仮着材が形成されると、しおり片を書籍類の目的とするページおよびそれに対向するページのうちの一方のページに仮着することができる。そのため、それらのページを開いても、しおり片が外れにくく、しおり片による目印の効果を維持しやすい。
【０００７】
また、この発明にかかるブックカバーには、しおり片の内面に支持片が形成され、仮着材は支持片の表面に形成され、仮着材の表面を保護するための保護片が支持片の表面側で仮着材の近傍に形成され、さらに保護片の仮着材に対応する部分を支持片の裏面側に通すための孔が支持片に形成される。
このようにブックカバーに保護片などが形成されると、保護片で仮着材の表面を覆うことによって仮着材を使用しないようにすることができ、また、保護片の仮着材に対応する部分を孔から支持片の裏面側に通して保護片で仮着材の表面を覆わないことによって仮着材を使用できるようにすることができる。そのため、仮着材を使用しないようにすることおよび仮着材を使用できるようにすることを目的に応じて選択することができる。
【０００８】
さらに、この発明にかかるブックカバーには、主面部材の一端側に形成され、表紙の表表紙および裏表紙のうちの一方の端部を収納するためのポケット部と、主面部材の他端側に形成され、表表紙および裏表紙のうちの他方を保持するための保持部とが含まれ、しおり片は主面部材の他端からのびて折り返し可能に形成されてもよい。
このようにブックカバーにポケット部および保持部が形成されると、ポケット部に書籍類の表表紙および裏表紙のうちの一方の端部が収納され、その書籍類の表表紙および裏表紙のうちの他方が保持部２０に保持される。それによって、ブックカバーが書籍類に取り付けられる。そのため、ブックカバーが書籍類から不用意に外れにくい。
また、このようにブックカバーのしおり片が主面部材の他端からのびて折り返し可能に形成されると、ブックカバーの主面部材およびしおり片で書籍類を巻いてしおり片を主面部材の表面に仮着材で仮着することによって、書籍類全体を主面部材およびしおり片で保護することができる。
【０００９】
この発明の上述の目的、その他の目的、特徴および利点は、図面を参照して行う以下の発明の実施の形態の詳細な説明から一層明らかとなろう。
【００１０】
【発明の実施の形態】
図１はこの発明にかかるブックカバーの一例を示す正面図であり、図２は図１の線ＩＩ−ＩＩにおける断面図であり、図３は図１の線ＩＩＩ−ＩＩＩにおける断面図であり、図４は図１の線ＩＶ−ＩＶにおける断面図であり、図５はそのブックカバーに用いられる仮着材を示す図解図である。
【００１１】
図１に示すブックカバー１０は、たとえば酢酸ビニルからなる横長の長方形状の主面部材１２を含む。主面部材１２は、たとえば文庫本の表紙を覆って保護するためのものである。そのため、主面部材１２は、文庫本の表紙を広げた大きさとほぼ同じ大きさに形成される。
【００１２】
主面部材１２の左端側には、縦長の長方形状のポケット部１４が形成される。ポケット部１４は、文庫本の表紙の表表紙および裏表紙のうちの一方の端部を収納するためのものである。ポケット部１４は、たとえば酢酸ビニルからなる縦長の長方形状のポケット片１６を含む。ポケット片１６は、全体が主面部材１２の左端側部分の内面に重ねられ、上端、左端および下端が主面部材１２の上端、左端および下端にそれぞれ溶着される。それによって、右端に開口を有するポケット部１４が形成される。なお、ポケット片１６は、主面部材１２の左端からのびて主面部材１２と一体的に形成されてもよい。この場合、ポケット片１６は、全体が主面部材１２の内面に重なるように折り曲げられ、上端および下端が主面部材１２の上端および下端にそれぞれ溶着される。
【００１３】
主面部材１２の中間部には、たとえば酢酸ビニルからなる矩形状の隠蔽片１８が形成される。隠蔽片１８は、全体が主面部材１２の中間部の内面に重ねられ、上端および下端が主面部材１２の上端および下端にそれぞれ溶着される。隠蔽片１８は、ブックカバー１０の隠蔽性を高めることによって文庫本の表紙の中間部を隠蔽するためのものである。そのため、隠蔽片１８は、顔料などで着色されている。なお、隠蔽片１８と同様に、主面部材１２およびポケット片１６と後述する保持片２２およびしおり片２４とも、顔料などで着色されている。
【００１４】
主面部材１２の右端側には、縦長の長方形状の保持部２０が形成される。保持部２０は、文庫本の表紙の表表紙および裏表紙のうちの他方を差し込んで保持するためのものである。保持部２０は、たとえば酢酸ビニルからなる縦長の長方形状の保持片２２を含む。保持片２２は、全体が主面部材１２の右端側部分の内面に重ねられ、上端および下端が主面部材１２の上端および下端にそれぞれ溶着される。それによって、左端および右端に開口を有する保持部２０が形成される。
【００１５】
主面部材１２には、その右端からのびて、たとえば酢酸ビニルからなる略矩形状のしおり片２４が形成される。しおり片２４は、主面部材１２と一体的にかつ折り返し可能に形成される。このしおり片２４は、文庫本の目的とするページおよびそれに対向するページ間に挟み込まれるものである。
【００１６】
しおり片２４の内面には、たとえば酢酸ビニルからなる略矩形状の支持片２６が形成される。この場合、支持片２６は、上端、右端および下端がしおり片２４の上端、右端および下端にそれぞれ溶着される。
【００１７】
支持片２６の中央の表面には、たとえばＬ字形の仮着材２８が形成される。仮着材２８は、しおり片２４を文庫本の目的とするページおよびそれに対向するページのうちの一方のページや主面部材１２の表面に仮着するためのものである。仮着材２８は、図５に示すように、たとえばポリエチレンテレフタレート（ＰＥＴ）からなる基材３０を含む。基材３０の下面には、接着剤からなる接着剤層３２が形成される。この接着剤層３２によって、基材３０は支持片２６の表面に強固に接着される。また、基材３０の上面には、再剥離性を有するたとえばウレタンなどの粘着材からなる粘着材層３４が形成される。この粘着材層３４としては、表面が汚れて表面の粘着力が低下した場合に、表面を水または中性洗剤で洗ってから自然乾燥させると、表面の粘着力が回復するタイプのものが用いられる。この粘着材層３４は、基材３０を文庫本の目的とするページおよびそれに対向するページのうちの一方のページや主面部材１２の表面に仮着するためのものである。
【００１８】
なお、仮着材２８の粘着材層３４の表面には、たとえばポリエチレンテレフタレート（ＰＥＴ）からなる剥離シート３６が仮着される。この剥離シート３６は、仮着材２８の粘着材層３４を初期的に保護するためのものであって、一旦剥離されると使用されないものである。そのため、この剥離シート３６は、特に形成されなくてもよい。
【００１９】
支持片２６の表面側であって仮着材２８の近傍には、たとえば酢酸ビニルからなる略矩形状の保護片３８が形成される。保護片３８は、一部分が仮着材２８に重なるようにして、一端が支持片２６の右端に溶着される。この保護片３８は、仮着材２８の表面すなわち粘着材層３４の表面を保護するためのものである。
【００２０】
支持片２６において仮着片２８の右側にかつ近傍には、縦長の孔４０が形成される。この孔４０は、保護片３８の仮着材２８に対応する部分を支持片２６の裏面側に通すためのものである。
【００２１】
また、しおり片２４の表面には、仮着材２８に対応する部分に、たとえば酢酸ビニルからなる略矩形状の補強片４２が溶着される。この補強片４２は、しおり片２４を押えて仮着材２８で文庫本などに仮着する際に、しおり片２４を補強するためのものである。
【００２２】
このブックカバー１０を使用する際には、図６に示すように、ブックカバー１０のポケット部１４に文庫本の裏表紙の端部が収納され、その文庫本の表表紙の端部が保持部２０に差し込まれて保持される。この場合、保持部２０の左端および右端に開口を有するので、保持部２０に文庫本の表表紙を差し込む量を調節することができる。このようにしてブックカバー１０が文庫本に取り付けられる。そのため、このブックカバー１０は、文庫本から不用意に外れにくい。
【００２３】
そして、図７に示すように、仮着材２８の粘着材層３４から剥離シート３６が剥離される。また、保護片３８の仮着材２８に対応する部分が孔４０から支持片２６の裏面側に通される。それによって、仮着材２８の粘着材層３４が露出される。
【００２４】
それから、文庫本の目的とするページに目印をつける際には、図８に示すように、しおり片２４が文庫本の目的とするページおよびそれに対向するページ間に目印として折り返され挟み込まれる。この場合、文庫本を閉じたり開いたりする行為と同様な行為でしおり片２４が挟み込まれる。そのため、文庫本の目的とするページに目印を簡単につけることができる。なお、この場合、しおり片２４によって、文庫本を既読部分と未読部分との２つの部分に仕切ることが可能である。
また、しおり片２４が主面部材１２からのびて形成されているので、しおり片２４を簡単に探し出すことができる。そのため、文庫本の目的とするページを簡単に検索することができる。
さらに、しおり片２４が主面部材１２からのびて形成されているので、しおり片２４を紛失しにくい。
【００２５】
また、ブックカバー１０のしおり片２４側に仮着材２８が形成されているので、しおり片２４を文庫本の目的とするページおよびそれに対向するページのうちの一方のページに仮着することができる。そのため、それらのページを開いても、しおり片２４が外れにくく、しおり片２４による目印の効果を維持しやすい。
【００２６】
さらに、このブックカバー１０では、保護片３８を孔４０から支持片２６の表面側に抜いて保護片３８で仮着材２８の表面を覆うことによって、仮着材２８を使用しないようにすることもできる。この場合、仮着材２８によって文庫本が損傷しにくくなる。このように仮着材２８を使用しないようにすることおよび上述のように仮着材２８を使用できるようにすることを目的に応じて選択することができる。
【００２７】
また、このブックカバー１０では、図９および図１０に示すように、主面部材１２およびしおり片２４で文庫本を巻いてしおり片２４を主面部材１２の表面に仮着材２８で仮着することによって、文庫本全体を主面部材１２およびしおり片２４で保護することができる。
【００２８】
図１１はこの発明にかかるブックカバーの他の例の一部分を示す正面図である。図１１に示すブックカバー１０では、図１に示すブックカバー１０と比べて、支持片２６の表面に円形の３つの仮着材２８が上下に間隔を隔てて形成されている。また、３つの仮着材２８に対応して、３つの保護片３８および３つの孔４０が形成されている。
図１１に示すブックカバー１０では、図１に示すブックカバー１０と比べて、たとえば、中央の仮着材２８のみでしおり片２４を文庫本に仮着したり、３つの仮着材２８でしおり片２４を主面部材１２に仮着したりすることができるというように、任意の仮着材２８でしおり片２４を仮着することができ、仮着する強度および仮着する位置を選択することができる。
【００２９】
なお、上述のブックカバー１０では、仮着材２８がＬ字形または円形に形成されているが、この発明では、仮着材はたとえばリング形、４角形など他の形状に形成されてもよい。同様に、他の部分についても、他の形状に形成されてもよい。
【００３０】
また、上述のブックカバー１０では、１つまたは３つの仮着材２８が形成されているが、この発明では、２つまたは４つ以上の仮着材が形成されてもよい。
【００３１】
さらに、上述のブックカバー１０では、主面部材１２が酢酸ビニルで形成されているが、この発明では、主面部材は他の材料で形成されてもよい。同様に、他の部分も、他の材料で形成されてもよい。
【００３２】
また、上述のブックカバー１０では、主面部材１２、ポケット片１６、隠蔽片１８および保持片２２の各表面と支持片２６の裏面とに、多数の平行な溝（図示せず）が左右方向にのびて形成されているが、それらの溝は形成されなくてもよい。
【００３３】
なお、上述のブックカバー１０は文庫本用のものを例にして説明したが、この発明は文庫本以外の書籍や日記帳、手帳、家計簿などの他の書籍類用のブックカバーにも適用され得る。
【００３４】
【発明の効果】
この発明によれば、書籍類の目的とするページに目印を簡単につけることができ、しかも、書籍類の目的とするページを簡単に検索することができ、書籍類の目的とするページにつける目印を紛失しにくい、ブックカバーが得られる。
【図面の簡単な説明】
【図１】この発明にかかるブックカバーの一例を示す正面図である。
【図２】図１の線ＩＩ−ＩＩにおける断面図である。
【図３】図１の線ＩＩＩ−ＩＩＩにおける断面図である。
【図４】図１の線ＩＶ−ＩＶにおける断面図である。
【図５】図１に示すブックカバーに用いられる仮着材を示す図解図である。
【図６】図１に示すブックカバーで文庫本の表紙を覆う状態を示す斜視図である。
【図７】図１に示すブックカバーにおいて、仮着材の粘着材層から剥離シートを剥離し、保護片を孔に通す状態を示す斜視図である。
【図８】図１に示すブックカバーにおいて、しおり片が文庫本の目的とするページおよびそれに対向するページ間に折り返され挟み込まれる状態を示す斜視図である。
【図９】図１に示すブックカバーで文庫本を巻く状態を示す斜視図である。
【図１０】図１に示すブックカバーで文庫本を巻いた状態を示す斜視図である。
【図１１】この発明にかかるブックカバーの他の例の一部分を示す正面図である。
【符号の説明】
１０  ブックカバー
１２  主面部材
１４  ポケット部
１６  ポケット片
１８  隠蔽片
２０  保持部
２２  保持片
２４  しおり片
２６  支持片
２８  仮着材
３０  基材
３２  接着剤層
３４  粘着材層
３６  剥離シート
３８  保護片
４０  孔
４２  補強片
【図１】
0003723525.tif 000002
【図２】
0003723525.tif 000003
【図３】
0003723525.tif 000004
【図４】
0003723525.tif 000005
【図５】
0003723525.tif 000006
【図６】
0003723525.tif 000007
【図７】
0003723525.tif 000008
【図８】
0003723525.tif 000009
【図９】
0003723525.tif 000010
【図１０】
0003723525.tif 000011
【図１１】
0003723525.tif 000012